(57)【特許請求の範囲】
【請求項１】
外部入力信号を所定の量子化ビット数を有するデジタルフォーマットで記録するディジタル記録装置において、
ディジタルデータを所定の記録データフォーマットで記録媒体に記録する記録部と、
前記外部入力信号の量子化ビット数を前記記録部による記録データフォーマットの量子化ビット数に変換するディジタル信号処理手段と、
前記外部入力信号のカテゴリー情報から該外部入力信号の量子化ビット数を判別して前記ディジタル信号処理手段に判別情報を与える判別手段とを備え、
前記判別手段は、前記外部入力信号のカテゴリー情報から該外部入力信号の量子化ビット数を判断できないときには、さらに、該外部入力信号中のオーディオ信号を監視し、該オーディオ信号の所定期間にわたって変化しないビットが少なくとも１つ存在する場合にはこの変化しないビットを全て無効と判断して有効な量子化ビット数を判別し、
前記ディジタル信号処理手段は、前記判別手段により判別された有効な量子化ビット数が前記記録部による記録データフォーマットの量子化ビット数より少ない場合には、前記判別手段により判別された有効な量子化ビット数を前記外部入力信号の量子化ビット数とし、その量子化ビット数を前記記録部による記録データフォーマットの量子化ビット数に変換し、
前記記録部は、前記判別手段により判別された有効な量子化ビット数が前記記録部による記録データフォーマットの量子化ビット数より少ない場合には、前記ディジタル信号処理手段により変換された後のオーディオ信号をディジタルデータとして記録し、そうでない場合には、前記外部入力信号中のオーディオ信号をそのままディジタルデータとして記録すること、
を特徴とするディジタル記録装置。
【請求項２】
請求項１記載のディジタル記録装置において、さらに、外部入力アナログ信号をデジタル信号に変換してディジタル信号処理手段に供給するアナログ／ディジタル変換手段を含むディジタル記録装置。
【発明の詳細な説明】
【０００１】
【発明の属する技術分野】
本発明はディジタル記録装置に係わり、特に量子化ビット数が異なるディジタル信号を入力して所定の作業を施し、記録装置固有の量子化ビット数に変換することのできるディジタル記録装置に関する。
【０００２】
【従来の技術】
外部入力信号を所定の量子化ビット数を有するデジタルフォーマットで記録する記録手段を有するディジタル記録装置で録音を行なう場合、その記録手段の量子化ビット数は、外部入力信号がアナログの場合はＡＤ（アナログ／ディジタル）コンバータ、またディジタルの場合には入力ソースの量子化ビット数によって決まり、記録手段固有の量子化ビット数とは一致しないことがあった。
【０００３】
【発明が解決しようとする課題】
ところで、従来のディジタル記録装置において、記録手段固有の量子化ビット数規格が例えば２０ビットの時、内蔵するＡＤコンバータに１６ビットのものを使って外部アナログ入力をＡＤ変換して記録手段へ供給する場合や、ＣＤ（コンパクトディスク）プレーヤ等の１６ビットの入力ソースからのディジタル入力の場合には、記録手段固有の性能を十分に発揮できず、下位４ビットには意味を持たない０データが書込まれてしまっていた。
したがって、周波数の低くかつレベルの低い信号のリニアリティは記録装置本来の分解能を実現できなかった。
【０００４】
本発明の目的は、主に周波数の低くレベルの低い信号のリニアリティを改善することができるディジタル記録装置を提供することにある。
【０００５】
【課題を解決するための手段】
本発明に係るディジタル記録装置は、外部入力信号を所定の量子化ビット数を有するデジタルフォーマットで記録するディジタル記録装置において、ディジタルデータを所定の記録データフォーマットで記録媒体に記録する記録部と、前記外部入力信号の量子化ビット数を前記記録部による記録データフォーマットの量子化ビット数に変換するディジタル信号処理手段と、前記外部入力信号のカテゴリー情報から該外部入力信号の量子化ビット数を判別して前記ディジタル信号処理手段に判別情報を与える判別手段とを備える。そして、前記判別手段は、前記外部入力信号のカテゴリー情報から該外部入力信号の量子化ビット数を判断できないときには、さらに、該外部入力信号中のオーディオ信号を監視し、該オーディオ信号の所定期間にわたって変化しないビットが少なくとも１つ存在する場合にはこの変化しないビットを全て無効と判断して有効な量子化ビット数を判別し、
前記ディジタル信号処理手段は、前記判別手段により判別された有効な量子化ビット数が前記記録部による記録データフォーマットの量子化ビット数より少ない場合には、前記判別手段により判別された有効な量子化ビット数を前記外部入力信号の量子化ビット数とし、その量子化ビット数を前記記録部による記録データフォーマットの量子化ビット数に変換し、
前記記録部は、前記判別手段により判別された有効な量子化ビット数が前記記録部による記録データフォーマットの量子化ビット数より少ない場合には、前記ディジタル信号処理手段により変換された後のオーディオ信号をディジタルデータとして記録し、そうでない場合には、前記外部入力信号中のオーディオ信号をそのままディジタルデータとして記録する。
【０００６】
また、本発明に係るディジタル記録装置は、さらに、外部入力アナログ信号をデジタル信号に変換してディジタル信号処理手段に供給するアナログ／ディジタル変換手段を含むものである。
【００１０】
【作用】
外部入力信号を所定の量子化ビット数を有するデジタルフォーマットで記録するディジタル記録装置において、外部入力ディジタル信号の量子化ビット数を判別してディジタル信号処理装置で記録装置固有の量子化ビット数に変換する。
外部入力がアナログ信号の場合には、内蔵ＡＤコンバータでディジタル信号に変換し、このディジタル信号の量子化ビット数をディジタル信号処理装置で記録装置固有の量子化ビット数に変換する。
したがって、外部入力信号がディジタルまたはアナログのいずれのタイプのものでもその量子化ビット数を記録装置固有の量子化ビット数に変換して記録するため、記録装置固有の量子化ビット数をフルに生かした記録が可能になる。
【００１１】
【発明の実施の形態】
本発明のディジタル記録装置の実施例を図面に基づいて説明する。図１は本発明のディジタル記録装置の一実施例のブロック図である。
図１において、１は入力ソースとなるディジタル再生装置（例えば、ＣＤプレーヤ、ＤＡＴ（ディジタル・オーディオ・テープ）デッキ等）であり、ディジタル再生装置において記録媒体から再生したデータをディジタル・オーディオ・インターフェースのフォーマットに変換し、ディジタル・オーディオ・インターフェース結線２を介してディジタル記録装置３のディジタルオーディオ・インターフェース・レシーバ４に出力する。
ディジタル記録装置３は、ディジタル・オーディオ・インターフェース・レシーバ４の他に、外部アナログ入力信号をＡＤ変換するＡＤコンバータ５、量子化ビット数変換装置６、マイクロコンピュータ７、エンコーダ８、エンコーダ８でエンコードされたディジタルデータを記録媒体に記録する記録部９を備えている。
【００１２】
まず、外部入力信号がディジタル信号の場合について説明する。
ディジタル・オーディオ・インターフェース・レシーバ４はディジタル再生装置１より入力されたデータをエンコーダ８の入力フォーマットに合わせたフォーマットに変換して、量子化ビット数変換装置６とマイクロコンピュータ７に出力すると共に、入力されたデータ中のサブコードをデコードしてマイクロコンピュータ７に出力する。
マイクロコンピュータ７は、入力されたサブコードを処理し、まずサブコード中のカテゴリー情報（ＣＤ、ＤＡＴ等のカテゴリーを表わす情報）を認識して量子化ビット数（例えば１６ビット）を判別する。また、カテゴリー情報だけでは量子化ビット数が判断できなかった場合は、入力データ中のオーディオ信号を監視することによって量子化ビット数を判別する。
【００１３】
量子化ビット数変換装置６は、例えば適応型ディジタルフィルタが用いられ、判別された量子化ビット数情報をマイクロコンピュータ７より受けて、入力されたディジタルデータの量子化ビット数（例えば１６ビット）を記録部９のフォーマットに合わせた量子化ビット数（例えば２０ビット）に変換しエンコーダ８に出力する。よって、この量子化ビット数変換装置６はサンプリングレート変換機能をも有していることになる。
エンコーダ８は、入力ディジタルデータを記録部９の量子化ビット数（２０ビット）でエンコードし、記録部９に出力する。
記録部９はエンコーダ８から入力されたデータを所定の記録媒体に記録する。
【００１４】
次に、上記のディジタル記録装置の量子化ビット数判別動作を図２のフローチャートに基づいて説明する。
ディジタル記録が開始されると、ステップＳ１で、マイクロコンピュータ７は、ディジタル・オーディオ・インターフェース・レシーバ４から与えられるカテゴリー情報が、ＣＤやＤＡＴ等の、量子化ビット数が１６ビットのカテゴリーか否かを判別する。その答がイエスならば後述するステップＳ５に進み、ノーならばステップＳ２に進む。
ステップＳ２では、入力ディジタル信号中のオーディオ信号の各ビットデータが所定期間にわたって変化しているか否かを判別する。その答がノーならば後述するステップＳ４に進み、イエスならばステップＳ３に進む。
【００１５】
ステップＳ３では、所定期間にわたって変化しないビットがあるか否かを確認する。その答がノーならば、ステップＳ４に進み、入力ディジタル信号をそのまま（量子化ビット数を変換することなく）記録部９で記録する。
ステップＳ３の答がイエスならば、ステップＳ５に進み、所定期間にわたって変化しなかったビットは全て無効と判断して残りの変化しているビットのみを有効とみなして量子化ビット数を判別し、量子化ビット数変換装置６で記録部固有の量子化ビット数に一致するように変換する。
以上のように、入力ディジタル信号は、その量子化ビット数が記録装置固有の量子化ビット数より少ないと判別された場合は、ディジタル信号処理装置で記録装置固有の量子化ビット数に変換されて記録部で記録されることになる。
【００１６】
次に、外部入力信号がアナログ信号の場合について説明する。
この場合には、ＡＤコンバータ５（例えば量子化ビット数が１６ビットのもの）が、外部アナログ入力信号をサンプリングしてディジタルデータに変換し、量子化ビット数変換装置６に出力すると共に、量子化ビット数情報をマイクロコンピュータ７に出力する。その後の動作は、上述の外部入力信号がディジタル信号の場合と同様なので詳細な説明は省略する。
【００１７】
以上述べたように、本発明によれば、入力ディジタル信号の量子化ビット数または内蔵ＡＤコンバータの量子化ビット数にかかわらず、常にディジタル記録装置固有の量子化ビット数をフルに生かした記録ができ、特に周波数の低くレベルの低い信号に対してリニアリティの改善効果が大きい。
【００１８】
【発明の効果】
本発明に係るディジタル記録装置によれば、入力されるデータの量子化ビット数が記録データフォーマットの量子化ビット数と異なっても、記録データフォーマットの性能を充分に生かした記録が可能となる。
【図面の簡単な説明】
【図１】本発明のディジタル記録装置の一実施例を示すブロック図である。
【図２】図１のディジタル記録装置の量子化ビット数判別動作を説明するフローチャートである。
【符号の説明】
１ ディジタル再生装置
【図１】
0003875746.tif 000002
【図２】
0003875746.tif 000003